(57)【要約】【課題】簡単な構成により、小型であって、しかも炊飯器に対して洗米器からの洗浄米および水を確実に供給することができる洗米炊飯装置を提供する。【解決手段】洗米炊飯装置は、支持フレームと、この支持フレームに設けられた洗米器と、当該洗米器の下方の炊飯領域にセットされる、着脱自在な上蓋を有してなる炊飯器とを備えており、炊飯器の上蓋は、洗浄米受入れ用開口と、当該洗浄米受入れ用開口を開閉するためのシャッター板部材とを備えており、シャッター板部材を、洗浄米受入れ用開口を閉止する閉止位置と、この閉止位置の直上における持上げ位置を経由して、前記洗浄米受入れ用開口の上方における洗浄米通過領域より外方の退避位置との間で移動させるシャッター板部材移動手段が設けられていることを特徴とする。【選択図】　図２
2004113407.tif 000002
【特許請求の範囲】
【請求項１】
支持フレームと、この支持フレームに設けられた洗米器と、当該洗米器の下方の炊飯領域にセットされる、着脱自在な上蓋を有してなる炊飯器とを備えており、
炊飯器の上蓋は、洗浄米受入れ用開口と、当該洗浄米受入れ用開口を開閉するためのシャッター板部材とを備えており、
シャッター板部材を、洗浄米受入れ用開口を閉止する閉止位置と、この閉止位置の直上における持上げ位置を経由して、洗浄米受入れ用開口の上方における洗浄米通過領域より外方の退避位置との間で移動させるシャッター板部材移動手段が設けられていることを特徴とする洗米炊飯装置。
【請求項２】
シャッター板部材移動手段が、先端がシャッター板部材に係合されるシャッターアームと、このシャッターアームを制御するアーム制御機構とよりなり、
アーム制御機構は、シャッターアームをその先端が上下方向に移動されるよう傾動させる傾動制御機能と、シャッターアームの先端が上方に移動された状態で当該シャッターアームを水平面内で回動させる回動制御機能とを有する円筒カムと、この円筒カムを回転させる駆動源とにより構成されていることを特徴とする請求項１に記載の洗米炊飯装置。
【発明の詳細な説明】
【０００１】
【発明の属する技術分野】
本発明は、洗米炊飯装置に関するものである。
【０００２】
【従来の技術】
現在、或る種の洗米炊飯装置においては、下端に洗浄米排出口を有する洗米器と、この洗米器の下方に設けられた炊飯器が配置される炊飯領域とを具え、洗米器において洗米処理された洗浄米が洗浄米排出口から自重により落下することにより、洗浄米が炊飯器の炊飯用空間内に自動的に供給される構成を有するものとされている。
【０００３】
そして、従来におけるこのような洗米炊飯装置においては、一連の洗米炊飯処理を自動的に行うために、例えば炊飯器本体に着脱自在な上蓋を自動的に移動する上蓋移動手段が設けられており、これにより、上蓋が炊飯器から退避された状態で、洗米器からの洗浄米や水が炊飯器に供給される構成のものが知られている（例えば、特許文献１参照。）。
【０００４】
【特許文献１】
特開平６−１４１９６６号公報
【０００５】
しかしながら、上記の洗米炊飯装置においては、上蓋を炊飯領域の外方にまで移動させる必要があり、この移動のために必要とされるスペースが相当に大きく、全体として相当に大きい占有スペースが必要になるという問題がある。
【０００６】
【発明が解決しようとする課題】
本発明は、以上のような事情に基づいてなされたものであって、その目的は、簡単な構成により、小型であって、しかも炊飯器に対して洗米器からの洗浄米および水を確実に供給することができる洗米炊飯装置を提供することにある。
【０００７】
【課題を解決するための手段】
本発明の洗米炊飯装置は、支持フレームと、この支持フレームに設けられた洗米器と、当該洗米器の下方の炊飯領域にセットされる、着脱自在な上蓋を有してなる炊飯器とを備えており、
炊飯器の上蓋は、洗浄米受入れ用開口と、当該洗浄米受入れ用開口を開閉するためのシャッター板部材とを備えており、
シャッター板部材を、洗浄米受入れ用開口を閉止する閉止位置と、この閉止位置の直上における持上げ位置を経由して、前記洗浄米受入れ用開口の上方における洗浄米通過領域より外方の退避位置との間で移動させるシャッター板部材移動手段が設けられていることを特徴とする。
【０００８】
以上の構成においては、シャッター板部材移動手段が、先端がシャッター板部材に係合されるシャッターアームと、このシャッターアームを制御するアーム制御機構とよりなり、
アーム制御機構は、シャッターアームをその先端が上下方向に移動されるよう傾動させる傾動制御機能と、シャッターアームの先端が上方に移動された状態で当該シャッターアームを水平面内で回動させる回動制御機能とを有する円筒カムと、この円筒カムを回転させる駆動源とにより構成されていることが好ましい。
【０００９】
【作用】
本発明の洗米炊飯装置によれば、シャッター板部材は、閉止位置から一度上方の持上げ位置を経由して退避位置まで水平面内で移動されるため、例えば、上蓋の表面に付着している洗浄米等により阻害されることなく、確実にシャッター板部材を移動させることができると共に、上蓋より小さいシャッター板部材の移動のみによって洗浄米受入れ用開口が開閉されるため、シャッター板部材の移動領域を含めた全体の占有スペースを小さくすることができる。
【００１０】
【発明の実施の形態】
以下、本発明の実施の一例を、図面を参照して説明する。
図１は、本発明の洗米炊飯装置の構成の一例を、炊飯器が炊飯領域にセットされた状態で示す説明用右側面図である。
この洗米炊飯装置は、後端部から上方に伸びる垂立支柱１０１を有する支持フレーム１０を備えており、この支持フレーム１０は、垂立支柱１０１の下端位置において水平方向前方（図１において左方）に伸び出るよう形成された支持基板１０２を有している。
【００１１】
垂立支柱１０１の上部には貯米庫１４が支持されており、この貯米庫１４の下方には洗米器１１が連続して設けられており、この洗米器１１の下方でかつ支持基板１０２の上方には炊飯領域が設けられており、この炊飯領域に炊飯処理に供される炊飯器１２がセットされる。
【００１２】
貯米庫１４は、米を収容するための貯米容器１４０と、この貯米容器１４０の下方に設けられた計量装置１４１とを有すると共に、当該貯米庫１４の底部には、計量装置１４１により計量された米を受容するための米受容ホッパが洗米器１１に連通するよう設けられている。
【００１３】
洗米器１１は、円錐筒状部分１１１と、この円錐筒状部分１１１に連続して上方に伸びる円筒状部分１１２とにより構成される洗米容器１１０を具え、その下端部には、洗米容器１１０の下端開口部を開閉する弁を有する洗浄米排出口１１３が炊飯領域の上方に位置する状態で設けられている。
【００１４】
洗米容器１１０の内部には、攪拌装置（図示せず）が配設されている。この攪拌装置は、例えば、洗米容器１１０の上下方向に伸びる駆動ロッドの周りに回転スリーブが回転自在に設けられ、この回転スリーブに攪拌ロッドが固定されてなり、当該回転スリーブが洗米器１１の駆動源（図示せず）により回転駆動される構成とすることができる。
また、洗米容器１１０には、洗浄水および炊飯用水を供給するための給水手段（図示せず）が設けられていると共に、洗米容器１１０の円筒状部分１１２の上端部にはオーバーフロー水排出装置（図示せず）が設けられており、このオーバーフロー水排出装置は、洗米容器１１０の一側面に設けられ当該洗米容器１１０の内部に連通する排水箱（図示せず）に連通されている。
【００１５】
炊飯器１２は、洗米器１１において洗米処理された洗浄米が供給される炊飯用空間１２１を内部に有し、その上部には、上蓋１２２が着脱自在に設けられている。
【００１６】
支持基板１０２の上方には、炊飯器１２を載置するための炊飯器載置台１３が、炊飯領域と、洗米炊飯装置の前方領域との間で、図１における矢印方向に引き出し可能に設けられており、その前面には、前方に突出し上方に屈曲する枠状のハンドル１３１が固定して設けられている。
【００１７】
炊飯器１２の上蓋１２２の上面には、洗米器１１から当該炊飯器１２に供給されるべき洗浄米および水を通過させるための洗浄米受入れ用開口と、当該洗浄米受入れ用開口を開閉するためのシャッター板部材１２３とが備えられている。
洗浄米受入れ用開口の直径は、洗浄米排出口１１３から自重により落下することによって排出される洗浄米および水が通過する領域（以下、「洗浄米通過領域Ａ」という。）の、上蓋１２２の上面レベルにおける外周を含む大きさとされており、例えば１５０ｍｍである。
【００１８】
また、シャッター板部材移動手段２０が設けられており、このシャッター板部材移動手段２０は、図２および図３に示されるように、シャッター板部材１２３を、洗浄米受入れ用開口を閉止する閉止位置Ｐから、この閉止位置Ｐの直上における持上げ位置Ｑに上昇移動し、更にこの持上げ位置Ｑを経由して、洗浄米受入れ用開口の上方における洗浄米通過領域Ａより外方における退避位置Ｒまで水平方向に退避移動させると共に、退避位置Ｒから持上げ位置Ｑを経由して閉止位置Ｐまで復帰移動させる機能を有する。
図示の例において、シャッター板部材１２３の退避位置Ｒは、当該シャッター板部材１２３の外周縁が、洗浄米通過領域Ａの外周縁に、その外方において接する位置とされている。
【００１９】
具体的には、シャッター板部材移動手段２０は、先端がシャッター板部材１２３に係合されるシャッターアーム２１と、このシャッターアーム２１の移動を制御するアーム制御機構とにより構成されており、支持フレーム１０の垂立支柱１０１に固定された基台２０１上に設置されている。
【００２０】
基台２０１には、上方に伸びる支軸２７の周りに水平面内で回転自在に軸支部材２１３が支承されており、シャッターアーム２１は、その基端（図２における上端、図３における右端）が、軸支部材２１３に設けられた水平な軸心２１２の周りに回転自在に軸支されることにより、先端が上下方向に移動するよう傾動自在に支持されている。シャッターアーム２１の先端には、シャッター板部材１２３に着脱自在に係合される留め具部材２１１が設けられている。
【００２１】
アーム制御機構は、シャッターアーム２１をその先端が上下方向に移動されるよう傾動させるとともに、シャッターアーム２１の先端が上昇したままで当該シャッターアーム２１を水平面内で回動させるよう制御する円筒カム２２と、この円筒カム２２を回転させる駆動源２３と、復帰用バネ２６と、ストッパー（図示せず）とにより構成されている。
【００２２】
円筒カム２２は、軸支部材２１３の下方において支軸２７によって水平面内で回転自在に支承されており、この円筒カム２２の外周部上面にはカム面が形成されており、シャッターアーム２１は、その重量により、その基端に接近した部分の下面においてカム面上に摺動自在に載せられており、従って、シャッターアーム２１は、当接するカム面の位置のレベルの変化に伴い、先端が上下方向に移動されるよう傾動される。
【００２３】
円筒カム２２のカム面には、図４および図５に示されるように、例えば時計回りの方向に、水平な平面からなる閉止位置維持領域３０と、この閉止位置維持領域３０に連続し、上方に伸びる斜面からなる傾動制御領域３１（図４では平行斜線が付されている。）と、この傾動制御領域３１に連続し、閉止位置維持領域３０よりも位置のレベルが高い水平な平面からなる持上げ位置維持領域３２と、この持上げ位置維持領域３２の終端において垂直方向上方に突出して伸びる垂立面からなる回動付勢部３３とが、この順に設けられている。
すなわち、シャッターアーム２１が当接するカム面上の領域が閉止位置維持領域３０であるときには、シャッター板部材１２３が閉止位置Ｐにある状態とされ、傾動制御領域３１であるときにはシャッターアーム２１が傾動されている状態とされ、持上げ位置維持領域３２であるときにはシャッター板部材１２３が持上げ位置Ｑにある状態とされる。また、回動付勢部３３がシャッターアーム２１の側面に対接されて付勢することにより、シャッターアーム２１が円筒カム２２と共に水平面内で回動される。
【００２４】
円筒カム２２には、基台２０１上に設置されたモータよりなる駆動源２３が連結ギア２５によって連結されている。
【００２５】
更に、支軸２７の上端部分とシャッターアーム２１との間に、ネジリコイルバネよりなる復帰用バネ２６が配設されており、これにより、シャッターアーム２１には、円筒カム２２の回動付勢部３３による回転駆動方向とは逆方向に力が作用されている。
そして、シャッターアーム２１を、その初期状態から、退避移動の場合と逆の方向に回動されることを防止するストッパーが設けられている。ここで、シャッターアーム２１についての初期状態とは、図２に示されるように、シャッター板部材１２３が閉止位置Ｐと持上げ位置Ｑとの間にある、当該シャッターアーム２１が水平面内で回動されていない状態をいう。
【００２６】
２４Ａは退避移動停止用センサーであって、シャッター１２３が退避位置Ｒに退避移動されたときに円筒カム２２の側面に設けられたセンサー検知孔２４１を検知するセンサーであり、２４Ｂは復帰移動停止用センサーであって、シャッター１２３が閉止位置Ｐに復帰移動されたときにセンサー検知孔２４１を検知するセンサーであり、これらは、円筒カム２２の回転を停止させるための検知情報を、後述する制御部に伝達する機能を有する。
【００２７】
そして、洗米炊飯装置の動作を制御するための制御部が設けられており、当該制御部は、例えば作業者が情報を入力するための入力機構と、当該洗米炊飯装置の動作状態を表示するための表示機構とを具えた操作パネル１５が、洗米炊飯装置の上部前面に配設されると共に、当該操作パネル１５に与えられた情報を例えば洗米器１１や貯米庫１４、シャッター板部材移動手段２０に伝達してその動作を制御する制御機構が設けられることにより、構成されている。
【００２８】
以上の洗米炊飯装置においては、次のようにして洗米処理および炊飯処理が行われる。
予め炊飯器１２が炊飯領域にセットされた状態において、操作パネル１５における洗米炊飯処理開始スイッチがＯＮ状態とされると、操作パネル１５において入力された情報に従って、貯米庫１４内に設けられた計量装置１４１により一定量の米が計量されて、自重による落下により洗米容器１１０内へ供給される。
【００２９】
洗米容器１１０内においては、米は、洗米容器１１０内部の攪拌装置により攪拌されながら、例えば給水を伴う水洗米処理と給水を伴わない無水洗米処理との組み合わせにより洗浄され、所定の洗米処理時間が経過した時点で、洗浄米および水は洗米器１１の洗浄米排出口１１３より、洗浄米通過領域Ａを通過して、炊飯器１２の炊飯用空間１２１に供給される。
【００３０】
そして、炊飯器１２の炊飯機構が作動されることによって、炊飯処理が行われる。この炊飯器１２における炊飯処理は、自動または手動によりスタートし、一定時間後に完了し、次に蒸らし処理が行われる。これらの一連の処理が完了すると、操作パネル１５上に炊飯処理が完了した旨が表示される。
炊飯処理終了後、ハンドル１３１を介して炊飯器１２を載置した炊飯器載置台１３を洗米炊飯装置の手前に引き出すことにより、炊飯器１２から炊飯米の取り出し作業が行われ、炊飯器１２が再び炊飯領域にセットされることによって次の炊飯処理に備えられる。
【００３１】
而して、上記の構成においては、次のようにして、炊飯器１２内に洗浄米および水が供給される。
すなわち、まず、洗浄米受入れ用開口がシャッター板部材１２３によって閉止されている状態において、このシャッター板部材１２３がシャッターアーム２１の留め具部材２１１に係合される。
【００３２】
この状態では、図６および図７に示されるように、シャッターアーム２１は円筒カム２２の閉止位置維持領域３０上に位置されており、シャッター板部材１２３は閉止位置Ｐにある。
【００３３】
図６の状態において、円筒カム２２が駆動源２３により反時計回りの方向（図６における矢印方向）に回転されると、シャッターアーム２１は、復帰用バネ２６およびストッパーの作用により回動が禁止された状態で、円筒カム２２の傾動制御領域３１上を相対的に摺動することによって、先端が上方向に移動されるよう傾動され、これにより、シャッター板部材１２３が上蓋１２２より持ち上げられる。
【００３４】
続いて円筒カム２２が回転されると、図８および図９に示されるように、シャッターアーム２１は、円筒カム２２の持上げ位置維持領域３２に到達し、これにより、シャッター板部材１２３は持上げ位置Ｑに位置される。
【００３５】
さらに円筒カム２２が回転されると、シャッターアーム２１は、その側面に円筒カム２２の回動付勢部３３の垂立面が当接して、復帰用バネ２６に抗して円筒カム２２の回転と共に回動され、これによってシャッター板部材１２３が水平面内で移動される。そして、センサー検知孔２４１が退避移動停止用センサー２４Ａにより検知されることにより、図１０に示されるように、円筒カム２２の回転が停止され、これによって、シャッター板部材１２３は退避位置Ｒに位置される。
【００３６】
以上のように、シャッター板部材１２３が閉止位置Ｐから持上げ位置Ｑを経由して退避位置Ｒまで退避移動されることにより、洗浄米受入れ用開口が完全に開かれた状態となり、この状態で洗米器１１から炊飯器１２の炊飯用空間１２１に炊飯米および水の供給が行われる。このとき、洗浄米受入れ用開口は、洗浄米通過領域Ａより大きい直径を有するものとされているので、炊飯器１２に対する洗浄米および水の供給が確実に行われる。
【００３７】
洗浄米および水の供給が完了すると、シャッター板部材１２３の復帰移動により再び洗浄米受入れ用開口が閉止される。
すなわち、図１０に示されるシャッター板部材１２３が退避位置Ｒにある状態において、駆動源２３により円筒カム２２が時計回りの方向に復帰回転されると、この円筒カム２２の回転と共に、復帰用バネ２６の作用により、シャッターアーム２１が回動されて持上げ位置Ｑまで移動され、シャッター板部材１２３が持上げ位置Ｑに到達して初期状態となった後は、ストッパーにより、シャッターアーム２１の回動が阻止される。
【００３８】
さらに円筒カム２２が回転されると、図８および図９に示されるように、シャッターアーム２１は、回動が禁止された状態で円筒カム２２の上下移動制御領域３１上を摺動し、先端が下方向に移動されるよう傾動される。
【００３９】
さらに円筒カム２２が回転されて、センサー検知孔２４１が復帰移動停止用センサー２４Ｂにより検知されると、円筒カム２２の回転が停止され、シャッターアーム２１が円筒カム２２の閉止位置維持領域３０上に位置され、これによってシャッター板部材１２３は閉止位置Ｐに位置される。
【００４０】
以上のようにして、シャッター板部材１２３が退避位置Ｒから持上げ位置Ｑを経由して閉止位置Ｐまで復帰移動され、その結果、洗浄米受入れ用開口がシャッター板部材１２３により閉止された状態となり、この状態の炊飯器１２は炊飯処理に付される。
【００４１】
以上のように、本発明の洗米炊飯装置においては、シャッター板部材は、閉止位置から一度上方に持上げられ、その後、この持上げ位置から水平面内で移動されて退避位置とされるため、例えば、上蓋の表面に付着している洗浄米等により阻害されることなく、確実にシャッター板部材を退避させることができる。
【００４２】
而して、洗浄米受入れ用開口は、炊飯器の上蓋の上面レベルにおける洗浄米通過領域の外周を含む大きさであればよく、従ってシャッター板部材は上蓋より相当に小径のものであるため、洗浄米受入れ用開口を開閉するためのシャッター板部材の移動のために必要とされるスペースは小さくなり、従って、シャッター板部材の移動領域を含めた洗米炊飯装置全体の占有スペースを小さくすることができる。
【００４３】
以上、本発明の実施の一例について具体的に説明したが、本発明は上記の例に限定されるものではなく、種々の変更を加えることができる。特に、洗米器等の構成は、実施例に限られない。
【００４４】
【発明の効果】
本発明の洗米炊飯装置によれば、シャッター板部材は、閉止位置から一度上方の持上げ位置を経由して退避位置まで水平面内で移動されるため、例えば、上蓋の表面に付着している洗浄米等により阻害されることなく、確実にシャッター板部材を移動させることができると共に、上蓋より小さいシャッター板部材の移動のみによって洗浄米受入れ用開口が開閉されるため、シャッター板部材の移動領域を含めた全体の占有スペースを小さくすることができる。
【図面の簡単な説明】
【図１】本発明の洗米炊飯装置の構成の一例を、炊飯器が炊飯領域にセットされた状態で示す説明用右側面図である。
【図２】図１の洗米炊飯装置のシャッター板部材移動手段の構成を示す説明用平面図である。
【図３】図２のシャッター板部材移動手段を、図２中のＷ−Ｗ線に沿った状態で示す説明用断面図である。
【図４】図２の円筒カムの構成を示す説明用平面図である。
【図５】図４の円筒カムの構成を、図４中のＸ−Ｘ線に沿った状態で示す説明用断面図である。
【図６】シャッター板部材が閉止位置にある状態で円筒カムおよびシャッターアームの構成を示す説明用平面図である。
【図７】図６の円筒カムおよびシャッター板部材の構成を、図６中のＹ−Ｙ線に沿った状態で示す説明用断面図である。
【図８】シャッター板部材が持上げ位置にある状態で円筒カムおよびシャッターアームの構成を示す説明用平面図である。
【図９】図８の円筒カムおよびシャッター板部材の構成を、図８中のＺ−Ｚ線に沿った状態で示す説明用断面図である。
【図１０】シャッター板部材が退避位置にある状態で円筒カムおよびシャッターアームの構成を示す説明用平面図である。
【符号の説明】
１０　支持フレーム
１０１　垂立支柱
１０２　支持基板
１１　洗米器
１１０　洗米容器
１１１　円錐筒状部分
１１２　円筒状部分
１１３　洗浄米排出口
１２　炊飯器
１２１　炊飯用空間
１２２　上蓋
１２３　シャッター板部材
１３　炊飯器載置台
１３１　ハンドル
１４　貯米庫
１４０　貯米容器
１４１　計量装置
１５　操作パネル
２０　シャッター板部材移動手段
２０１　基台
２１　シャッターアーム
２１１　留め具部材
２１２　軸心
２１３　軸支部材
２２　円筒カム
２３　駆動源
２４Ａ　退避移動停止用センサー
２４Ｂ　復帰移動停止用センサー
２４１　センサー検知孔
２５　連結ギア
２６　復帰用バネ
２７　支軸
３０　閉止位置維持領域
３１　傾動制御領域
３２　持上げ位置制御領域
３３　回動付勢部
Ａ　洗浄米通過領域
Ｐ　閉止位置
Ｑ　持上げ位置
Ｒ　退避位置
【図１】
2004113407.tif 000003
【図２】
2004113407.tif 000004
【図３】
2004113407.tif 000005
【図４】
2004113407.tif 000006
【図５】
2004113407.tif 000007
【図６】
2004113407.tif 000008
【図７】
2004113407.tif 000009
【図８】
2004113407.tif 000010
【図９】
2004113407.tif 000011
【図１０】
2004113407.tif 000012